(57)【特許請求の範囲】
【請求項１】
連結された複数の光源ユニットを有する照明器具を備えた照明システムであって、
前記照明器具を収納する収納部と、
該収納部に連通した作業用開口部と
を備え、
前記複数の光源ユニットは、それぞれ車輪を有し、
前記照明器具は、前記作業用開口部を介して前記収納部に対して出し入れされることが可能である照明システム。
【請求項２】
前記収納部は、建築物のガラスカーテンウォール又はガラスサッシの枠の内部に形成された内部空間であり、該内部空間は、前記建築物の水平方向に、前記ガラスカーテンウォール又は前記ガラスサッシに固定された窓ガラスに沿って延びる、請求項１に記載の照明システム。
【請求項３】
前記内部空間にはレールが設けられ、
該レールは前記建築物の水平方向に前記ガラスカーテンウォール又は前記ガラスサッシに固定された前記窓ガラスに沿って延び、前記レール間に前記車輪が嵌まる、請求項２に記載の照明システム。
【請求項４】
前記複数の光源ユニットは、個々に切り離し可能に連結されている、請求項１〜３のいずれか一項に記載の照明システム。
【請求項５】
前記複数の光源ユニットは、互いに直接、又は、連結部材を介して連結され、前記光源ユニット同士、又は、前記光源ユニットと前記連結部材とは、互いに対して回転可能に、水平方向又は鉛直方向に向く回転軸によって連結されている、請求項１〜４のいずれか一項に記載の照明システム。
【請求項６】
連結された複数の光源ユニットを有する照明器具を備えた照明システムであって、
前記照明器具を収納する収納部と、
該収納部に連通した作業用開口部と
を備え、
前記複数の光源ユニットは、個々に切り離し可能に、互いに直接、又は、連結部材を介して連結され、前記光源ユニット同士、又は、前記光源ユニットと前記連結部材とは、互いに対して回転可能に、水平方向又は鉛直方向に向く回転軸によって連結され、
前記照明器具は、前記作業用開口部を介して前記収納部に対して出し入れされることが可能である照明システム。
【請求項７】
連結された複数の光源ユニットを有する照明器具を備えた照明システムであって、
前記照明器具を収納する収納部と、
該収納部に連通した作業用開口部と
を備え、
前記複数の光源ユニットは、互いに直接、又は、連結部材を介して連結され、前記光源ユニット同士、又は、前記光源ユニットと前記連結部材とは、互いに対して回転可能に、水平方向又は鉛直方向に向く回転軸によって連結されており、
前記照明器具は、前記作業用開口部を介して前記収納部に対して出し入れされることが可能である照明システム。
【請求項８】
前記収納部は、建築物のガラスカーテンウォール又はガラスサッシの枠の内部に形成された内部空間であり、該内部空間は、前記建築物の水平方向に、前記ガラスカーテンウォール又は前記ガラスサッシに固定された窓ガラスに沿って延びる、請求項６〜７のいずれか一項に記載の照明システム。
【発明の詳細な説明】
【技術分野】
【０００１】
この発明は、照明システムに係り、特に、事務所や商業施設等の屋内に設置される外装照明、またはあらゆる用途の建築物の屋外に設置される外装照明、内装照明、外構照明として設置される照明システムに関する。
【背景技術】
【０００２】
事務所や商業施設等には、美的効果等を得るために、窓際に照明を設けて点灯し、建築物の外装を照らしている。このような従来の照明システムが特許文献１に記載されている。この照明システムでは、窓の内側の床部に、光源を設けるスペースが設けられている。
【先行技術文献】
【特許文献】
【０００３】
【特許文献１】特開２００７−３１１２０１号公報
【発明の概要】
【発明が解決しようとする課題】
【０００４】
しかしながら特許文献１に記載の照明システムでは、光源を設けるスペースが個々の室の内部に独立して設けられているため、メンテナンスを行うためには、個々の室に入って光源を１つ１つ交換する必要があり、手間がかかるといった問題点があった。
【０００５】
この発明はこのような問題点を解決するためになされたもので、メンテナンスを容易に行うことのできる照明システムを提供することを目的とする。
【課題を解決するための手段】
【０００６】
この発明に係る照明システムは、連結された複数の光源ユニットを有する照明器具を備えた照明システムであって、照明器具を収納する収納部と、収納部に連通した作業用開口部とを備え、照明器具は、作業用開口部を介して収納部に対して出し入れされることが可能である。
収納部は、建築物のガラスカーテンウォール又はガラスサッシの枠の内部に形成された内部空間であり、内部空間は、建築物の水平方向に、ガラスカーテンウォール又はガラスサッシに固定された窓ガラスに沿って延びてもよい。
各光源ユニットは車輪を有してもよい。
内部空間にはレールが設けられ、レールは建築物の水平方向にガラスカーテンウォール又はガラスサッシに固定された窓ガラスに沿って延び、レール間に車輪が嵌まるようにしてもよい。
複数の光源ユニットは、個々に切り離し可能に連結されてもよい。
複数の光源ユニットは、互いに直接、又は、連結部材を介して連結され、光源ユニット同士、又は、光源ユニットと連結部材とは、互いに対して回転可能に、水平方向又は鉛直方向に向く回転軸によって連結されていてもよい。
【発明の効果】
【０００７】
この発明によれば、複数の光源ユニットが連結されて構成された照明器具を、作業用開口部を介して収納部に対して出し入れすることにより、一か所の作業用開口部において照明器具のメンテナンスが可能となるので、メンテナンスを容易に行うことができる。
【図面の簡単な説明】
【０００８】
【図１】この発明の実施の形態に係る照明システムが設けられた建築物のガラスカーテンウォールの一部分の正面図である。
【図２】図１の線Ｌによる切断面をＩＩ−ＩＩ線に沿って見た断面図である。
【図３】この実施の形態に係る照明システムの照明器具の平面図（ａ）及び正面図（ｂ）である。
【図４】この実施の形態に係る照明システムの照明器具を内部空間に対して出し入れするための作業用開口部近傍の断面図である。
【発明を実施するための形態】
【０００９】
以下、この発明の実施の形態を添付図面に基づいて説明する。
図１には、建築物のガラスカーテンウォール１の正面の一部分が示されている。図２に示されるように、ガラスカーテンウォール１は一対の窓ガラス２ａ，２ｂを有し、これらは互いに平行かつ間隔をあけて枠３に固定されている。建築物の内部側に位置する窓ガラス２ｂに対して間隔をあけるとともに窓ガラス２ｂに対して傾くようにして、バックパネル４が枠３に固定されている。各一対の窓ガラス２ａ，２ｂに対応する各バックパネル４は、建築物の上下方向に交互に逆方向に傾くように設けられている。図２には図示されていないが、各一対の窓ガラス２ａ，２ｂに対応する各バックパネル４は、建築物の水平方向にも交互に逆方向に傾くように設けられている。
【００１０】
枠３には、建築物の水平方向に隣り合う複数の窓ガラス２ｂに沿って延びるように内部空間５が形成されている。内部空間５の床面５ａには、Ｌ字状の断面形状を有する一対のレール６，６が互いに平行に固定されている。レール６，６は、内部空間５内で、窓ガラス２ｂに沿って建築物の水平方向に延びている。また、内部空間５内には照明器具７が設けられている。ここで、内部空間５は、照明器具７を収納する収納部を構成する。照明器具７が枠３の内部に形成された内部空間５に設けられていることにより照明器具７が見えないので、外観の悪化を防ぐことができる。
【００１１】
図３（ａ）及び（ｂ）に示されるように、照明器具７は、複数の光源ユニット８が連結部材９を介して直線状に連結されるように構成されている。光源ユニット８は、ＬＥＤのような複数の光源１０が直線状に配列された直方体形状の本体部８ａと、本体部８ａの底部に設けられた車輪８ｂとを有している。連結部材９は、一端が光源ユニット８に水平方向の回転軸４０を介して切り離し可能に連結する連結板９ａと、２つの連結板９ａの他端同士を接続し車輪９ｂが設けられた中間台車９ｃとを有している。光源ユニット８と連結板９ａとは、回転軸４０を中心に互いに対して鉛直方向に回動可能である。隣り合う光源ユニット８同士は、ケーブル３０によって電気的に接続されており、ケーブル３０同士は、各ケーブル３０の端部に設けられたコネクター３１を連結することで接続されている。複数の光源ユニット８を連結部材９で連結した状態の照明器具７は、車輪８ｂ及び９ｂによってその長さ方向に移動可能となっている。
【００１２】
図２に示されるように、照明器具７は、車輪８ｂ及び９ｂ（車輪９ｂは図示せず）がレール６，６間に嵌まるように内部空間５内に設けられている。これにより、照明器具７は、レール６，６間で、窓ガラス２ｂに沿って建築物の水平方向に移動可能となっている。照明器具７を内部空間５内に設けたとき、各光源ユニット８は、建築物の水平方向に連結部材９の長さだけ間隔をあけて配置されることになる。連結部材９の長さを調節することにより、各光源ユニット８は、下方に向かって窓ガラス２ｂから離れるように傾くバックパネル４が設けられた位置に配置されるようになっている。尚、下方に向かって窓ガラス２ｂに近づくように傾くバックパネル４が設けられた位置には連結部材９が配置されることになる。
【００１３】
内部空間５の天井面５ｂには、光源ユニット８が配置される位置に切欠部１１が形成されており、内部空間５と内部空間５の外部とが連通されている。切欠部１１を介して、光源ユニット８の光源１０（図３（ａ）参照）から照射された光が上方に向かってバックパネル４に照らされる。このため夜間には、建築物の正面は、上下方向及び水平方向に１つおきに光源１０による光で明るくなる。
【００１４】
図４に示されるように、枠３には、レール６，６が延びる方向に対して垂直な向きに開口した作業用開口部２０が形成されている。作業用開口部２０は、内部空間５の一方の端部付近に形成されている。作業用開口部２０には、これを塞ぐ蓋部材２１がねじ２２によって取り外し可能に取り付けられている。照明器具７を内部空間５に対して出し入れする場合には、ねじ２２を取り外して蓋部材２１を作業用開口部２０から取り外し、作業用開口部２０を開口させる。複数の光源ユニット８が連結されて構成された照明器具７（図２参照）を作業用開口部２０から内部空間５に対して出し入れできるので、１つ１つの光源ユニット８を場所を変えながら取り出し又は設置する場合に比べて、メンテナンスが容易になる。また、光源ユニット８と連結部材９とが切り離し可能であることにより、照明器具７を内部空間５内に挿入する際には、光源ユニット８及び連結部材９をそれぞれ連結しながら作業を行うことができ、照明器具７を内部空間５から取り出す際には、回転軸４０を取り外すとともに連結したコネクター３１を分離することにより光源ユニット８及び連結部材９をそれぞれ切り離しながら作業を行うことができるので、光源ユニット８及び連結部材９を連結させた長い照明器具７を置く場所が不要となり、メンテナンスに必要な作業スペースを小さくできる。さらに、この作業用開口部２０を、建築物のオフィスや店舗等のテナントが入っている室以外の共用部に設けることにより、テナントの営業時間やオフィスの勤務時間であっても照明システムのメンテナンスを行うことができる。
【００１５】
また、照明器具７を作業用開口部２０から内部空間５内に挿入する際、レール６，６間に車輪８ｂ及び９ｂを嵌めた状態で照明器具７を押し込むことができるので、照明器具７がレール６，６に沿って真っすぐに押し込まれ、光源ユニット８を切欠部１１の位置に正確に配置することができる。さらに、光源ユニット８及び連結部材９にはそれぞれ車輪８ｂ及び９ｂが設けられているので、内部空間５の床面５ａに段差があっても、その段差が車輪８ｂ及び９ｂに対して十分に小さな段差であれば車輪８ｂ及び９ｂがその段差を乗り越えることができる。その結果、スムーズに照明器具７を内部空間５内に押し込むことができる。
【００１６】
このように、複数の光源ユニット８が連結されて構成された照明器具７を、作業用開口部２０を介して内部空間５に対して出し入れすることにより、一か所の作業用開口部２０において照明器具７のメンテナンスが可能となるので、メンテナンスを容易に行うことができる。
【００１７】
この実施の形態では、窓ガラス２ａ，２ｂと枠３とが上下方向に連続するガラスカーテンウォールとしているが、この形態に限定するものではない。上下方向に連続しないガラスサッシの内部空間に照明器具を設けてもよい。
【００１８】
この実施の形態では、建築物の水平方向にバックパネル４を１つおきに光で照射するようにしているが、この形態に限定するものではない。すべてのバックパネル４を光で照射するようにしてもよい。この場合には、光源ユニット８同士を、連結部材９を介さずに直接切り離し可能に連結してもよい。また、光源ユニット８と連結部材９との組み合わせを調節することにより、任意のバックパネル４を光で照射するようにしてもよい。
【００１９】
この実施の形態では、光源ユニット８及び連結部材９のそれぞれに車輪８ｂ及び９ｂが設けられていたが、これらは必須の構成要件ではない。内部空間５の床面５ａに段差がない場合や、任意の方法で照明器具７をスムーズに押し込むことができるのであれば、車輪８ｂ及び９ｂを設けなくてもよい。また、レール６，６も必須の構成要件ではなく、任意の方法で照明器具７を真っすぐに押し込むことができるのであれば、レール６，６を設けなくてもよい。
【００２０】
この実施の形態では、バックパネル４は窓ガラス２ｂに対して傾いていたが、この形態に限定するものではない。全てのバックパネル４が窓ガラス２ｂに対して傾かずに平行であってもよく、一部のバックパネル４が窓ガラス２ｂに対して傾かずに平行であってもよい。また、バックパネル４は設けられていなくてもよい。尚、バックパネル４が設けられていない場合、光源から照射される光が照らされる受照面は、窓ガラス２ｂに対して垂直に窓ガラス２ｂの各辺に設けられた板状部材となる。ガラスカーテンウォールの場合は、ガラスカーテンウォールを構成する四方の枠３を指す。
【００２１】
この実施の形態では、一対の窓ガラス２ａ，２ｂが互いに平行にかつ間隔をあけて設けられた複層ガラスであったが、この形態に限定するものではない。１枚のガラスからなる単板ガラスや、２枚のガラスの間に樹脂等のフィルムを挟み接着した合わせガラス等、どのような種類のガラスであってもよい。また、窓ガラス２ａ，２ｂは、枠３に対して開閉できないように固定されていたが、この形態に限定するものではない。窓がスライド又は回転軸に関して回転することにより開閉可能に枠３に固定されてもよい。
【００２２】
この実施の形態では、光源ユニット８には、ＬＥＤのような電球状の光源１０が直線状に配列されているが、この形態に限定するものではない。ＬＥＤに限らず、任意の形状の電球を直線状に配列したものであってもよく、また、細長い蛍光灯のような光源であってもよい。すなわち、切欠部１１を介して光が照射されるように直線状に光を照射することができるものであればよい。
【００２３】
この実施の形態では、複数の光源ユニット８が直線状に連結されるように構成されているが、この形態に限定するものではない。例えば、水平方向の回転軸４０を鉛直方向に変更して、光源ユニット８の端部と連結板９ａとが、及び、連結板９ａの端部と中間台車９ｃとが鉛直方向の軸を中心に互いに対して水平方向に回転可能にすることにより、複数の光源ユニット８を円弧状に湾曲して配置させることや、複数の光源ユニット８を蛇行して配置させることもできる。
【００２４】
この実施の形態では、収納部は、ガラスカーテンウォール１の窓ガラス２ａ，２ｂが固定される枠３の内部に形成された内部空間５であり、光源１０から照射された光が照らされる受照面はバックパネル４であったが、この形態に限定するものではない。この発明に係る照明システムは、建築物の外部を照らす任意の形態の外装照明であってもよいし、建築物の内部を照らす任意の形態の内装照明であってもよいし、屋外に設けられた任意の形態の外構照明であってもよい。
【００２５】
建築物の屋外に設置される外装照明としては、例えば、ガラスカーテンウォールの横枠に沿って設けられた外部の収納部に照明器具を設置し、ガラスカーテンウォールの枠又はバックパネルを受照面とし、収納部に連結する開口部を形成して、この開口部を作業用開口部とした照明システムが挙げられる。
【００２６】
内装照明としては、例えば、高所に設けられた収納部に照明器具を設置し、収納部と天井面との間を延びる壁部材を受照面とし、収納部に連結する開口を壁部材に形成して、この開口を作業用開口部とした照明システムが挙げられる。また、受照面である壁部材に商品等の陳列棚を設け、この陳列棚に内部空間を形成し、この内部空間に照明器具を設置し、陳列棚の任意の箇所に、内部空間に連通する作業用開口部を形成した照明システムも挙げられる。また、受照面である壁部材の近傍に、天井面に対して上方に向かって窪んだ収納部を形成し、壁部材に収納部に連結する開口を設けて、この開口を作業用開口部とし、収納部にレールを設け、照明器具の車輪をレールに嵌めて照明器具をレールに沿ってスライド可能とし、照明器具から下方に向けて光を照射するようにした照射システムも挙げられる。さらに、エスカレーターや階段等の傾斜した天井面に内部空間を形成し、この内部空間に照明器具を設置し、足場が水平な個所の天井面に、内部空間に連通する作業用開口部を形成した照明システムも挙げられる。
【００２７】
外構照明としては、例えば、受照面である壁部材の近傍の床面に、床面に対して窪んだ収納部を形成し、この収納部に照明器具を設け、床面と面一となる透明なガラス蓋で収納部を塞いで固定し、収納部と連通する作業用開口部を形成した照射システムが挙げられる。この場合、ガラス蓋を取り外し可能とはしないで固定することにより、防水性が高くなりコストも抑えることができる。
【符号の説明】
【００２８】
１  ガラスカーテンウォール、２ａ，２ｂ  窓ガラス、３  枠、５  内部空間（収納部）、６  レール、７  照明器具、８  光源ユニット、８ｂ  車輪、９  連結部材、２０  作業用開口部、４０  回転軸。
【図１】
0006664247.tif 000002
【図２】
0006664247.tif 000003
【図３】
0006664247.tif 000004
【図４】
0006664247.tif 000005